(57)【要約】      （修正有）【課題】低消費電力状態への移行と外部機器への充電を両立させる情報処理装置を提供する。【解決手段】ＭＦＰ１０００は、低消費電力状態に移行するタイミングが到来した場合に、ＰＣ２０００へ電力を供給中か否かを判別し、ＰＣ２０００へ電力を供給中と判別されたときは、ＰＣ２０００の充電状態を取得し、取得されたＰＣ２０００の充電状態が予め定められた閾値未満の場合に、予め定められた条件が満たされるまで電力を供給した後に、低消費電力状態に移行するようにした。【選択図】図１
2015174376.tif 000002
【特許請求の範囲】
【請求項１】
外部機器へ電力を供給可能な情報処理装置であって、
前記外部機器へ予め定められた電力を供給可能な状態から、前記予め定められた電力を供給不可能な状態である低消費電力状態に移行するタイミングが到来した場合に、前記外部機器へ電力を供給中か否かを判別する判別手段と、
前記判別手段により、前記外部機器へ電力を供給中と判別された場合に、前記外部機器の充電状態を取得する取得手段と、
前記取得手段により取得された充電状態が予め定められた閾値未満の場合に、予め定められた条件が満たされるまで電力を供給した後に、前記低消費電力状態に移行する移行手段とを備えたことを特徴とする情報処理装置。
【請求項２】
前記予め定められた条件は、前記充電状態が前記予め定められた閾値以上となること、または予め定められた時間が経過した回数であることを特徴とする請求項１記載の情報処理装置。
【請求項３】
前記低消費電力状態に移行するタイミングが到来する前、または前記低消費電力状態に移行するタイミングが到来したときに、前記予め定められた閾値、または前記回数がユーザにより設定されることを特徴とする請求項２記載の情報処理装置。
【請求項４】
前記取得手段が前記充電状態を取得できない場合には、前記移行手段は、前記外部機器に供給した電力を積算した積算供給量が予め定められた他の閾値以上となったときに前記低消費電力状態に移行することを特徴とする請求項１乃至請求項３のいずれか１項に記載の情報処理装置。
【請求項５】
前記低消費電力状態に移行するタイミングが到来した場合には、前記外部機器に電力の供給を停止してもよいか否かを問い合わせることを特徴とする請求項１乃至請求項４のいずれか１項に記載の情報処理装置。
【請求項６】
外部機器へ電力を供給可能な情報処理装置の制御方法であって、
前記外部機器へ予め定められた電力を供給可能な状態から、前記予め定められた電力を供給不可能な状態である低消費電力状態に移行するタイミングが到来した場合に、前記外部機器へ電力を供給中か否かを判別する判別ステップと、
前記判別ステップにより、前記外部機器へ電力を供給中と判別された場合に、前記外部機器の充電状態を取得する取得ステップと、
前記取得ステップにより取得された充電状態が予め定められた閾値未満の場合に、予め定められた条件が満たされるまで電力を供給した後に、前記低消費電力状態に移行する移行ステップとを備えたことを特徴とする制御方法。
【請求項７】
外部機器へ電力を供給可能な情報処理装置の制御方法をコンピュータに実行させるためのプログラムであって、
前記制御方法は、
前記外部機器へ予め定められた電力を供給可能な状態から、前記予め定められた電力を供給不可能な状態である低消費電力状態に移行するタイミングが到来した場合に、前記外部機器へ電力を供給中か否かを判別する判別ステップと、
前記判別ステップにより、前記外部機器へ電力を供給中と判別された場合に、前記外部機器の充電状態を取得する取得ステップと、
前記取得ステップにより取得された充電状態が予め定められた閾値未満の場合に、予め定められた条件が満たされるまで電力を供給した後に、前記低消費電力状態に移行する移行ステップとを備えたことを特徴とするプログラム。
【発明の詳細な説明】
【技術分野】
【０００１】
本発明は、情報処理装置及びその制御方法、並びにプログラムに関する。
【背景技術】
【０００２】
パーソナルコンピュータ等のホスト機器と画像形成装置等の周辺機器は、各種インタフェースを介して接続され、印刷データなどのデータ通信を行う。インタフェースの１つとして、例えば、ＵＳＢ（Universal Serial Bus）が広く使用されている。
【０００３】
近年、電力供給を行うＵＳＢ  ＰＤ（USB Power Delivery）規格が策定され、最大１００Ｗの電力供給が可能となっている。
【０００４】
これにより、例えば、ＡＣ電源に接続されている画像形成装置から、ＡＣ電源に接続されていないノートパソコンを、ＵＳＢ経由で充電することが可能となる。
【０００５】
また、画像形成装置においては、一定時間以上にわたり動作要求等がない場合に、消費電力を低減した低消費電力状態（スリープ状態ともいわれる）に移行する制御が行われている。
【０００６】
最近の省エネ要求により、画像形成装置の低消費電力状態への移行時間制御を、実行された機能に応じて変更する技術が開示されている（例えば、特許文献１参照）。
【先行技術文献】
【特許文献】
【０００７】
【特許文献１】特開２０１１−１１４００号公報
【発明の概要】
【発明が解決しようとする課題】
【０００８】
しかしながら、特許文献１に開示された技術では、機能に応じた低消費電力状態への移行時間が予め決められている。
【０００９】
そのため、低消費電力状態へ移行して、画像形成装置の消費電力が数Ｗ以下となると、ＵＳＢ  ＰＤでの電力供給は最低１０Ｗであるため、電力供給を継続できない。
【００１０】
このように、従来の技術では、低消費電力状態に移行してしまい、電力供給できなくなるという課題があった。
【００１１】
本発明の目的は、低消費電力状態への移行と外部機器への充電を両立させた情報処理装置及びその制御方法、並びにプログラムを提供することにある。
【課題を解決するための手段】
【００１２】
上記目的を達成するために、請求項１の情報処理装置は、外部機器へ電力を供給可能な情報処理装置であって、前記外部機器へ予め定められた電力を供給可能な状態から、前記予め定められた電力を供給不可能な状態である低消費電力状態に移行するタイミングが到来した場合に、前記外部機器へ電力を供給中か否かを判別する判別手段と、前記判別手段により、前記外部機器へ電力を供給中と判別された場合に、前記外部機器の充電状態を取得する取得手段と、前記取得手段により取得された充電状態が予め定められた閾値未満の場合に、予め定められた条件が満たされるまで電力を供給した後に、前記低消費電力状態に移行する移行手段とを備えたことを特徴とする。
【発明の効果】
【００１３】
本発明によれば、低消費電力状態に移行するタイミングが到来した場合に、外部機器へ電力を供給中のときは、取得された外部機器の充電状態が予め定められた閾値未満の場合に、予め定められた条件が満たされるまで電力を供給した後に、低消費電力状態に移行するので、低消費電力状態への移行と外部機器への充電を両立させることができる。
【図面の簡単な説明】
【００１４】
【図１】本発明の実施の形態に係る画像形成装置の概略構成を含む画像形成システムを示す図である。
【図２】図１における操作部に表示される２種類の設定画面を示す図である。
【図３】図１におけるＣＰＵにより実行される移行制御処理の手順を示すフローチャートである。
【図４】図３におけるステップＳ２０６の変更処理の手順を示すフローチャートである。
【図５】図５（Ａ）は、図３の移行制御処理の変形例の手順を示すフローチャートであり、図５（Ｂ）は、図４の変更処理の変形例の手順を示すフローチャートである。
【図６】図６（Ａ）は、図１におけるＣＰＵにより実行される設定処理の手順を示すフローチャートであり、図６（Ｂ）は、設定処理に対応した変更処理の手順を示すフローチャートである。
【発明を実施するための形態】
【００１５】
以下、本発明の実施の形態について図面を参照しながら詳述する。
【００１６】
図１は、本発明の実施の形態に係る情報処理装置としての画像形成装置（以下、「ＭＦＰ」という）１０００の概略構成を含む画像形成システム１を示す図である。
【００１７】
図１において、画像形成システム１は、ＭＦＰ１０００と外部機器としてのＰＣ２０００（パーソナルコンピュータ）とで構成される。ＭＦＰ１０００とＰＣ２０００は、ＵＳＢ（Universal Serial Bus）ケーブル３０００で接続され、ＭＦＰ１０００からＰＣ２０００に給電可能となっている。
【００１８】
ＭＦＰ１０００は、コントローラ１００、操作部１２０、読取部１３０、及び印刷部１４０で構成される。
【００１９】
操作部１２０は、ユーザの操作を受け付けたり、ユーザに各種情報を表示する。読取部は、原稿を読み取り、原稿画像を示す画像データをコントローラ１００に出力する。印刷部１４０は、コントローラ１００が出力した画像データが示す画像を記録紙などの記録媒体に印刷する。
【００２０】
また、コントローラ１００は、ＣＰＵ１０１、ＲＯＭ１０２、ＲＡＭ１０３、画像処理部１０４、スリープ制御部１０５、操作部インタフェース１０６、読取部インタフェース１０７、印刷部インタフェース１０８、電力供給制御部１０９、及びＵＳＢインタフェースを備えている。
【００２１】
ＣＰＵ１０１は、ＭＦＰ１０００全体を制御する。ＲＯＭ１０２は、ブートプログラムなどの各種プログラムや設定データなどの各種データを記憶する。ＲＡＭ１０３は、ＣＰＵ１０１のワークエリアとして用いられたり、各種プログラムや各種データを記憶する。後述するフローチャートは、ＲＯＭ１０２に記憶され、ＲＡＭ１０３に展開されたたプログラムをＣＰＵ１０１が実行する処理の手順を示している。
【００２２】
画像処理部１０４は、画像データに対してスキャン系画像処理、プリント系画像処理、及び通信系画像処理などの画像処理を行う。
【００２３】
スリープ制御部１０５は、低消費電力状態（スリープ状態ともいわれる）での各部のクロック停止など、低消費電力状態に関する制御を行う。この低消費電力状態とは、ＵＳＢ  ＰＤにおける電力供給の最低ワット数である１０ＷをＰＣ２０００に供給不可能な状態である。従って、本実施の形態では、１０Ｗ以上の予め定められているワット数の電力が供給可能な状態から低消費電力状態に移行することとなる。
【００２４】
操作部インタフェース１０６は、操作部１２０とコントローラ１００とのインタフェースである。読取部インタフェース１０７は、読取部１３０とコントローラ１００とのインタフェースである。印刷部インタフェース１０８は、印刷部１４０とコントローラ１００とのインタフェースである。
【００２５】
電力供給制御部１０９は、ＭＦＰ１０００の電力供給制御や、ＵＳＢ  ＰＤ（USB Power Delivery）規格に従った電力供給制御を行う。
【００２６】
図２は、図１における操作部１２０に表示される２種類の設定画面を示す図である。
【００２７】
本実施の形態では、低消費電力状態に移行するタイミングが到来しても、直ちに低消費電力状態に移行せずに、予め定められた条件が満たされるまで電力を供給した後に、低消費電力状態に移行することができる。
【００２８】
図２（Ａ）（Ｂ）における設定画面には、「現在の充電状態」、及び設定完了ボタンが含まれる。「現在の充電状態」は、ＰＣ２０００の充電状態を示している。図２の場合、ＰＣ２０００の充電状態は７０％ということとなる。また、設定完了ボタンは、設定を完了するためのボタンである。
【００２９】
図２（Ａ）の設定画面において、ユーザは、「電力供給を優先（充電完了まで）」、「電力供給を優先（設定回数まで）」、及び「低消費電力状態移行を優先」のいずれかをラジオボタンで選択できる。
【００３０】
「電力供給を優先（充電完了まで）」は、低消費電力状態に移行するタイミングが到来しても低電力消費状態には移行せず、電力供給を優先させるための設定である。
【００３１】
「電力供給を優先（設定回数まで）」は、低消費電力状態に移行するタイミングが到来した回数まで電力供給を優先させるための設定である。図２（Ａ）の場合、回数入力欄１２１には、ユーザにより「２」が設定されているので、低消費電力状態に移行するタイミングが２回到来するまで電力供給が行われる。
【００３２】
「低消費電力状態移行を優先」は、低消費電力状態に移行するタイミングが到来すると、直ちに低電力消費状態には移行させるための設定である。
【００３３】
一方、図２（Ｂ）の設定画面では、設定内容の１つが、「電力供給を優先（設定回数まで）」に代えて「電力供給を優先（設定値まで）」となっている。
【００３４】
「電力供給を優先（設定値まで）」は、ＰＣ２０００の充電状態が設定値入力欄１２２で設定された充電状態となるまで電力供給を優先させるための設定である。図２（Ｂ）の場合、設定値入力欄１２２には、ユーザにより「８０」が設定されているので、ＰＣ２０００の充電状態が８０％となるまで電力供給が行われる。
【００３５】
このように、本実施の形態において、ユーザは「電力供給を優先（充電完了まで）」、「電力供給を優先（設定回数まで）」、「電力供給を優先（設定値まで）」、及び「低消費電力状態移行を優先」のいずれかを選択できる。
【００３６】
このように、予め定められた条件は、充電状態が予め定められた閾値以上となること、または低消費電力状態へ移行する時間である予め定められた時間が経過した回数となっている。
【００３７】
図３は、図１におけるＣＰＵ１０１により実行される移行制御処理の手順を示すフローチャートである。
【００３８】
図３において、印刷などの画像処理や操作部への操作がない時間が予め定められた時間だけ経過して、低消費電力状態への移行するタイミングが到来すると（ステップＳ２０１でＹＥＳ）、ＵＳＢ  ＰＤで電力を供給中であるか否か判別する（ステップＳ２０２）。このステップＳ２０２は、低消費電力状態に移行するタイミングが到来した場合に、ＰＣ２０００へ電力を供給中か否かを判別する判別手段に対応する。
【００３９】
ステップＳ２０２の判別の結果、電力を供給中ではない場合には（ステップＳ２０２でＮＯ）、ステップＳ２０７に進む。
【００４０】
一方、ステップＳ２０２の判別の結果、電力を供給中の場合には（ステップＳ２０２でＹＥＳ）、電力の供給先であるＰＣ２０００に低消費電力状態へ移行するため、電力の供給を停止して問か否か問い合わせる（ステップＳ２０３）。このように、本実施の形態では、低消費電力状態に移行するタイミングが到来した場合には、ＰＣ２０００に電力の供給を停止してもよいか否かを問い合わせるようになっている。
【００４１】
次いで、ＰＣ２０００から供給を停止してもよいという回答が得られたか否か判別する（ステップＳ２０４）。
【００４２】
ステップＳ２０４の判別の結果、供給を停止してもよい場合には（ステップＳ２０４でＹＥＳ）、ステップＳ２０７に進む。一方、ステップＳ２０４の判別の結果、供給の停止が拒否された場合には（ステップＳ２０４でＮＯ）、ＰＣ２０００の充電状態を取得する（ステップＳ２０５）。ＰＣ２０００の充電状態は、ＰＣ２０００に内蔵されるソフトウェアにより算出される。算出された充電状態をＵＳＢインタフェース１１０などを介して取得する。上記ステップＳ２０５は、ＰＣ２０００へ電力を供給中と判別された場合に、ＰＣ２０００の充電状態を取得する取得手段に対応する。
【００４３】
次いで、図２で説明した設定画面を表示するなどして低消費電力状態への移行制御を変更する変更処理を行い（ステップＳ２０６）、画像処理の実行が要求されたか否か判別する（ステップＳ２０７）。この画像処理の実行の要求は、外部機器から印刷指示を受信したり、操作部１２０へのユーザの操作によりコピー指示が行われた場合などに発生する。
【００４４】
ステップＳ２０７の判別の結果、画像処理の実行が要求された場合には（ステップＳ２０７でＹＥＳ）、ステップＳ２０１に戻る。
【００４５】
一方、ステップＳ２０７の判別の結果、画像処理の実行が要求されていない場合には（ステップＳ２０７でＮＯ）、低消費電力状態へ移行して（ステップＳ２０８）、本処理を終了する。
【００４６】
図４は、図３におけるステップＳ２０６の変更処理の手順を示すフローチャートである。
【００４７】
図４において、ＰＣ２０００の充電が終了したか、または充電状態が予め定められた閾値以上か否か判別する（ステップＳ３０１）。ステップＳ３０１の判別の結果、ＰＣ２０００の充電が終了したか、または充電状態が予め定められた閾値以上の場合には（ステップＳ３０１でＹＥＳ）、本処理を終了する。
【００４８】
一方、ステップＳ３０１の判別の結果、ＰＣ２０００の充電が終了しておらず、かつ充電状態が予め定められた閾値未満の場合には（ステップＳ３０１でＮＯ）、図２で説明した２つの設定画面のうちのいずれかを操作部１２０に表示する（ステップＳ３０２）。２つの設定画面のいずれかを表示するかは、予め設定しておくか、ユーザにより選択させてもよい。
【００４９】
２つの設定画面のいずれにも表示される「低消費電力状態移行を優先」がユーザにより選択されたか否か判別する（ステップＳ３０３）。
【００５０】
ステップＳ３０３の判別の結果、「低消費電力状態移行を優先」がユーザにより選択された場合には（ステップＳ３０３でＹＥＳ）、本処理を終了する。
【００５１】
一方、ステップＳ３０３の判別の結果、「低消費電力状態移行を優先」以外がユーザにより選択された場合には（ステップＳ３０３でＮＯ）、低消費電力状態への移行時間をリセットして再計測を開始する（ステップＳ３０４）。これは移行時間の延長である。
【００５２】
次いで、ＰＣ２０００の充電が終了したか、または充電状態が予め定められた閾値以上か否か判別する（ステップＳ３０５）。ステップＳ３０５の判別の結果、ＰＣ２０００の充電が終了したか、または充電状態が予め定められた閾値以上の場合には（ステップＳ３０５でＹＥＳ）、本処理を終了する。
【００５３】
一方、ステップＳ３０５の判別の結果、ＰＣ２０００の充電が終了しておらず、かつ充電状態が予め定められた閾値未満の場合には（ステップＳ３０５でＮＯ）、ステップＳ３０４に戻る。
【００５４】
以上説明した変更処理と図３のステップＳ２０８は、取得された充電状態が予め定められた閾値未満の場合に、予め定められた条件が満たされるまで電力を供給した後に、前記低消費電力状態に移行する移行手段に対応する。なお、充電終了は閾値を１００％とすることである。
【００５５】
上述した処理により、ＰＣ２０００の充電状態が満充電または設定した充電状態に達した後に低消費電力状態へ移行することが可能となる。
【００５６】
次に、図３の移行制御処理の変形例と、その変形例に対応させた図４の変更処理の変形例について説明する。
【００５７】
この変形例では、ＰＣ２０００から充電状態を取得できない場合に対応させた処理となっている。
【００５８】
図５（Ａ）は、図３の移行制御処理の変形例の手順を示すフローチャートであり、図５（Ｂ）は、図４の変更処理の変形例の手順を示すフローチャートである。
【００５９】
図５（Ａ）のフローチャートは、図３のフローチャートのステップＳ２０４に代えて、ステップＳ２０３とステップＳ２０５との間にステップＳ５０１，５０２を挿入したものとなっている。
【００６０】
図５（Ａ）において、ステップＳ２０３の処理を終えると、ＰＣ２０００の充電状態を取得できるか否か判別する（ステップＳ５０１）。ステップＳ５０１の判別の結果、充電状態を取得できる場合には（ステップＳ５０１でＹＥＳ）、ステップＳ２０５に進む。
【００６１】
一方、ステップＳ５０１の判別の結果、充電状態を取得できない場合には（ステップＳ５０１でＮＯ）、供給した電力を積算する設定を行い（ステップＳ５０２）、ステップＳ２０６に進む。
【００６２】
上記ステップＳ５０２での設定により電力の積算供給量がわかるので、この積算供給量を用いて低消費電力状態へ移行するか否かを決定することとなる。
【００６３】
こうして電力の積算供給量を新たに用いたため、図５（Ｂ）に示されるように、図４の変更処理のステップＳ３０１はステップＳ５０３に、ステップＳ３０５はステップＳ５０４に変更される。
【００６４】
ステップＳ３０１，３０５では、ＰＣ２０００の充電が終了したか、または充電状態が予め定められた閾値以上か否か判別していたが、図５（Ｂ）に示されるように、ＰＣ２０００の充電が終了したか、充電状態が予め定められた閾値以上か、または積算供給量が予め定められた他の閾値以上か否か判別することとなる。
【００６５】
図５に示した変形例によれば、ＭＦＰ１０００は、電力供給先の機器の充電状態を取得できない場合でも電力供給が可能となる。
【００６６】
以上説明した実施の形態で表示される設定画面は、低消費電力状態へ移行するときが到来したときに表示されているが、ＵＳＢ  ＰＤでの接続時に設定できるようにしてもよい。
【００６７】
このように、本実施の形態では、充電状態を取得できない場合には、ＰＣ２０００に供給した電力を積算した積算供給量が予め定められた他の閾値以上となったときに低消費電力状態に移行するようになっている。
【００６８】
図６（Ａ）は、図１におけるＣＰＵ１０１により実行される設定処理の手順を示すフローチャートであり、図６（Ｂ）は、設定処理に対応した変更処理の手順を示すフローチャートである。
【００６９】
図６（Ａ）において、ＵＳＢ  ＰＤでの接続を検知すると（ステップＳ６０１でＹＥＳ）、設定画面を表示するか否か判別する（ステップＳ６０２）。この設定画面を表示するか否かは予め定めておくか、ユーザにより定められているものとする。
【００７０】
ステップＳ６０２の判別の結果、設定画面を表示しない場合には（ステップＳ６０２でＮＯ）、本処理を終了する。
【００７１】
一方、ステップＳ６０２の判別の結果、設定画面を表示する場合には（ステップＳ６０２でＹＥＳ）、図２で説明した２つの設定画面のうちのいずれかを操作部１２０に表示する（ステップＳ６０３）。２つの設定画面のいずれかを表示するかは、予め設定しておくか、ユーザにより選択させてもよい。
【００７２】
次いで、設定画面で設定された設定内容をＲＯＭ１０２に記憶して（ステップＳ６０４）、本処理を終了する。
【００７３】
図６（Ｂ）に示される変更処理は、図４の変更処理におけるステップＳ３０１の前に処理が挿入されたものである。
【００７４】
図６（Ｂ）において、変更処理が開始されると、設定内容が記憶されているか否か判別する（ステップＳ７０１）。ステップＳ７０１の判別の結果、設定内容が記憶されていない場合には（ステップＳ７０１でＮＯ）、ステップＳ３０１に進む。
【００７５】
一方、ステップＳ７０１の判別の結果、設定内容が記憶されている場合には（ステップＳ７０１でＹＥＳ）、ステップＳ３０３に進む。
【００７６】
このように、設定内容が記憶されていない場合には、図３の変更処理がそのまま実行される。一方、設定内容が記憶されている場合には、ステップＳ３０１、そして設定画面を表示するステップＳ３０２がスキップされて、ステップＳ３０３に進むようになっている。
【００７７】
このように、本実施の形態では、図６に示されるように低消費電力状態に移行するタイミングが到来する前、または図３，４に示されるように低消費電力状態に移行するタイミングが到来したときに、予め定められた閾値、または回数がユーザにより設定される。
【００７８】
なお、上述した図６（Ａ）では、ＵＳＢ  ＰＤの接続を検知することで、設定処理が開始されるが、接続の検知の有無に関わらず設定可能とするようにしてもよい。
【００７９】
図６の処理によれば、ユーザは低消費電力状態へ移行するタイミングが到来したときに限ることなく設定することが可能となる。
【００８０】
以上説明したように、本実施の形態によれば、低消費電力状態に移行するタイミングが到来した場合に（ステップＳ２０１でＹＥＳ）、ＰＣ２０００へ電力を供給中のときは（ステップＳ２０２でＹＥＳ）、取得されたＰＣ２０００の充電状態が予め定められた閾値未満の場合に、予め定められた条件が満たされるまで電力を供給した後に（ステップＳ２０６）、低消費電力状態に移行するので（ステップＳ２０８）、低消費電力状態への移行と外部機器への充電を両立させることができる。
【００８１】
なお、本実施の形態では情報処理装置の一例としてＭＦＰを用いて説明したが、ＣＰＵ、ＭＰＵ、ＡＳＩＣなどの演算装置や、ＲＯＭ、ＲＡＭ、ＨＤＤなどの記憶装置など、情報処理装置の基本的構成を備えていれば、画像処理の実行の有無に関わらず本実施の形態を適用できる。
【００８２】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８３】
１  画像形成システム
１０１  ＣＰＵ
１０２  ＲＯＭ
１０３  ＲＡＭ
１０５  スリープ制御部
１０９  電力供給制御部
１１０  ＵＳＢインタフェース
１２０  操作部
１０００  ＭＦＰ
２０００  ＰＣ
３０００  ＵＳＢケーブル
【図１】
2015174376.tif 000003
【図２】
2015174376.tif 000004
【図３】
2015174376.tif 000005
【図４】
2015174376.tif 000006
【図５】
2015174376.tif 000007
【図６】
2015174376.tif 000008